(57)【要約】【課題】  複数のデバイス装置の中から選択したデバイス装置のオーディオデータを再生するデバイス再生装置において、選択したデバイス装置の処理を行う各回路のグランドを装置内のグランドに接地するか、フローティング状態にするかを任意に切換えできると共に、再生を選択しないデバイス装置から入力されたノイズによって音質を悪化させてしまったり、誤動作してしまうことを防止する。【解決手段】  複数のデバイス装置と接続する複数の入力端子を備え、複数の入力端子に接続した複数のデバイス装置の中から任意に選択したデバイス装置から入力したデータを再生するデバイス再生装置において、再生を選択したデバイス装置からデータを入力する前記入力端子及び当該オーディオデータの処理を行うデータ処理部のグランドを装置内のグランドに接地するか、または、フローティング状態にするかを任意に切換える制御部を備える。【選択図】      図１
2014182849.tif 000002
【特許請求の範囲】
【請求項１】
複数のデバイス装置と接続する複数の入力端子を備え、前記複数の入力端子に接続した前記複数のデバイス装置の中から任意に選択したデバイス装置から入力したオーディオデータを再生するデバイス再生装置において、
再生を選択した前記デバイス装置からオーディオデータを入力する前記入力端子及び当該オーディオデータの処理を行うデータ処理部のグランドを前記デバイス再生装置内のグランドに接地するか、または、フローティング状態にするかを任意に切換えるよう制御する制御部を備えることを特徴とするデバイス再生装置。
【請求項２】
請求項１記載のデバイス再生装置において、
前記制御部は、接続した前記複数のデバイス装置の内、再生を選択しなかった前記デバイス装置と接続した前記入力端子及び当該オーディオデータの処理を行うデータ処理部のグランドをフローティング状態に切換えるよう制御することを特徴とするデバイス再生装置。
【請求項３】
請求項１または２記載のデバイス再生装置において、
前記入力端子は、ＵＳＢ端子から成ることを特徴とするデバイス再生装置。
【発明の詳細な説明】
【技術分野】
【０００１】
本発明は、接続されたデバイス装置に記録されているデータを再生するデバイス再生装置に関する。
【背景技術】
【０００２】
従来、ＵＳＢ端子等の着脱可能な接続端子によってパーソナルコンピュータ（Personal Computer（以下、ＰＣという。））等のデバイス装置に記録されているオーディオデータを入力し、当該オーディオデータを再生するデバイス再生装置が知られている。
【０００３】
このようにＵＳＢ端子を用いてデバイス装置とデバイス再生装置を接続し、デバイス装置に記録されているオーディオデータをデバイス再生装置が入力する場合、ＵＳＢ端子にはオーディオデータを出力する信号端子と、当該オーディオデータ信号に対して接地を行うグランド端子が備えられ、デバイス装置からＵＳＢ端子を介して出力されたオーディオデータをデバイス再生装置の内部回路で処理する場合、通常は、ＵＳＢ端子に備えるグランド端子を用いて信号処理を行う。しかしながら、前述したように、それぞれ独自の電源を備えるデバイス装置とデバイス再生装置とをＵＳＢ端子によって接続してオーディオデータの送受信を行う場合、デバイス装置から出力されたオーディオデータをデバイス装置の内部で処理する場合に、ＵＳＢ端子に備えたグランド端子とデバイス再生装置のグランドをそのまま接地して信号処理を行うと、デバイス装置からノイズが混入したデータが入力された場合にデバイス再生装置とデバイス装置の各電源の間に生じる電位差によって、デバイス再生装置に備える各回路の電位が不安定になってしまい、デバイス装置から入力したオーディオデータをデバイス再生装置によって再生した場合に音質が劣化してしまうことがある。
【０００４】
このように、デバイス装置からノイズが混入したデータが入力された場合にデバイス再生装置とデバイス装置の各電源の間に生じる電位差によって、オーディオデータを再生した場合に音質が劣化してしまうことを防止するために、ＵＳＢ端子を介して入力したデータの処理を行う各処理回路のグランドとその他の回路のグランドを切り離してフローティング（アイソレート）することによって、装置内の電位が不安定になってしまうことを防止し、オーディオデータの音質の劣化を防止するものが知られている（例えば、特許文献１参照）。
【先行技術文献】
【特許文献】
【０００５】
【特許文献１】特開２００４−１１０１６９号公報
【発明の開示】
【発明が解決しようとする課題】
【０００６】
特許文献１に開示されているように、デバイス再生装置とデバイス装置とをＵＳＢ端子によって接続し、ＵＳＢ端子を介して入力したデータの処理を行う各処理回路のグランドとその他の回路のグランドを切り離してフローティング（アイソレート）する構成とした場合は、前述したように、デバイス装置からノイズが混入したデータが入力された場合にデバイス再生装置とデバイス装置の各電源の間に生じる電位差によって、オーディオデータを再生した場合に音質が劣化してしまうことを防止することができるが、その一方で、ＵＳＢ端子を介して入力したデータのグランドとその他の回路のグランドが装置内で存在することになるため、装置内のグランドの統一を図ることができず、特定の回路の動作が不安定になることがあり、例えば、デバイス再生装置において特定の楽曲を再生する場合、
ＵＳＢ端子を介して入力したデータの処理を行う各処理回路のグランドをデバイス再生装置内のグランドに接地した場合よりもグランドを切り離してフローティングする方が、返ってオーディオ信号の聴感上の低域の安定感が損なわれてしまうことがある。
【０００７】
このため、ＵＳＢ端子を介してデバイス装置に記録されているオーディオデータを入力し再生するデバイス再生装置においては、ＵＳＢ端子を介して入力したデータの処理を行う各処理回路のグランドをデバイス再生装置内のグランドに接地するか、または、グランドを切り離してフローティング状態にするかをユーザが任意に切換えできることが望まれている。
【０００８】
また、デバイス再生装置においては、１つのデバイス装置と接続するのみでなく、複数のデバイス装置と接続し、当該複数のデバイス装置からのデータを入力するための複数の入力端子を備えるものがある。このような、複数の入力端子を備えたデバイス再生装置においては、接続された複数のデバイス装置の中から再生するデバイス装置を選択する選択キーを備え、当該選択キーによって選択したデバイス装置に記録されたデータを再生することができる。
【０００９】
しかしながら、前述したような複数のデバイス装置を複数の入力端子によって接続し、当該複数のデバイス装置から入力したデータの処理を行うそれぞれの処理回路のグランドをデバイス再生装置内のグランドに接地した場合、例えば、特定のデバイス装置に記録されたデータを再生している場合、再生を選択していないデバイス装置と入力端子によって接続されたままの状態だと、当該再生を選択していないデバイス装置からノイズが入力端子に入力されると、入力されたノイズが処理回路のグランドを介してデバイス再生装置内のグランドに混入してしまい、再生しているオーディオデータの音質を悪化させてしまったり、また、デバイス再生装置内の回路が誤動作してしまう虞がある。
【００１０】
本発明は、複数のデバイス装置と接続し、当該接続した複数のデバイス装置の中から任意に選択したデバイス装置から入力したオーディオデータを再生するデバイス再生装置において、再生を選択したデバイス装置から入力したデータの処理を行う各処理回路のグランドをデバイス再生装置内のグランドに接地するか、または、フローティング状態にするかをユーザが任意に切換えできると共に、再生を選択しないデバイス装置から入力されたノイズによって再生しているオーディオデータの音質を悪化させてしまったり、デバイス再生装置内の回路が誤動作してしまうことを防止することができるデバイス再生装置を提供することを目的とする。
【課題を解決するための手段】
【００１１】
上記の課題を解決するために、本願の請求項１記載の発明は、複数のデバイス装置と接続する複数の入力端子を備え、前記複数の入力端子に接続した前記複数のデバイス装置の中から任意に選択したデバイス装置から入力したオーディオデータを再生するデバイス再生装置において、再生を選択した前記デバイス装置からオーディオデータを入力する前記入力端子及び当該オーディオデータの処理を行うデータ処理部のグランドを前記デバイス再生装置内のグランドに接地するか、または、フローティング状態にするかを任意に切換えるよう制御する制御部を備えることを特徴とする。
【００１２】
本願の請求項２記載の発明は、請求項１記載のデバイス再生装置において、前記制御部は、接続した前記複数のデバイス装置の内、再生を選択しなかった前記デバイス装置と接続した前記入力端子及び当該オーディオデータの処理を行うデータ処理部のグランドをフローティング状態に切換えるよう制御することを特徴とする。
【００１３】
本願の請求項３記載の発明は、請求項１または２記載のデバイス再生装置において、前記入力端子は、ＵＳＢ端子から成ることを特徴とする。
【発明の効果】
【００１４】
本発明によれば、複数のデバイス装置と接続し、当該接続した複数のデバイス装置の中から任意に選択したデバイス装置から入力したオーディオデータを再生するデバイス再生装置において、再生を選択したデバイス装置から入力したデータの処理を行う各処理回路のグランドをデバイス再生装置内のグランドに接地するか、または、フローティング状態にするかをユーザが任意に切換えできると共に、再生を選択しないデバイス装置から入力されたノイズによって再生しているオーディオデータの音質を悪化させてしまったり、デバイス再生装置内の回路が誤動作してしまうことを防止することができるデバイス再生装置を提供することができる。
【図面の簡単な説明】
【００１５】
【図１】本発明の一実施例であるデバイス再生装置の構成を示すブロック図
【図２】本実施例のデバイス再生装置１において、操作部２のデバイス選択キー２０１によって第１のデバイス装置１００の再生が選択され、また、操作部２のフローティング切換えキー２０２によって再生を選択したデバイス装置と接続された入力端子とデータ処理部の間に接続されたグランドをデバイス再生装置１内のグランドと切り離してフローティング状態とするよう切換えた場合を示すブロック図。
【図３】本実施例のデバイス再生装置１において、操作部２のデバイス選択キー２０１によって第１のデバイス装置１００の再生が選択され、また、操作部２のフローティング切換えキー２０２によって再生を選択したデバイス装置と接続された入力端子とデータ処理部の間に接続されたグランドをデバイス再生装置１内のグランドと接地状態とするよう切換えた場合を示すブロック図。
【図４】本実施例のデバイス再生装置１において、操作部２のデバイス選択キー２０１によって第２のデバイス装置２００の再生が選択され、また、操作部２のフローティング切換えキー２０２によって再生を選択したデバイス装置と接続された入力端子とデータ処理部の間に接続されたグランドをデバイス再生装置１内のグランドと切り離してフローティング状態とするよう切換えた場合を示すブロック図。
【図５】本実施例のデバイス再生装置１において、操作部２のデバイス選択キー２０１によって第２のデバイス装置２００の再生が選択され、また、操作部２のフローティング切換えキー２０２によって再生を選択したデバイス装置と接続された入力端子とデータ処理部の間に接続されたグランドをデバイス再生装置１内のグランドと接地状態とするよう切換えた場合を示すブロック図。
【発明を実施するための最良の形態】
【００１６】
以下、本発明の実施の形態を図面に基づいて説明する。
図１は、本発明の一実施例であるデバイス再生装置の構成を示すブロック図である。
【００１７】
デバイス再生装置１は、操作部２、制御部３、再生部４、出力端子５、第１のデータ処理部１０、第２のデータ処理部２０、第１の入力端子１０１、第２の入力端子１０２、第１の選択スイッチ３０１、第１のグランド切換えスイッチ３０２、第２の選択スイッチ３０３及び第２のグランド切換えスイッチ３０４を備える。第１の入力端子１０１及び第２の入力端子１０２は、それぞれ第１のデバイス装置１００及び第２のデバイス装置２００と接続されているものとする。
【００１８】
第１の入力端子１０１、第２の入力端子１０２、第１のデータ処理部１０及び第２のデータ処理部２０は、それぞれデバイス再生装置１の内部において、他の回路と電気的に切り離されてフローティング状態に成されている。
【００１９】
第１の入力端子１０１はＵＳＢ入力端子から成り、第１のデバイス装置１００と図示しないケーブルによって接続された図示しないＵＳＢ出力端子と接続され、当該ケーブル内に備えるデータ線及びグランド線と接続されている。第２の入力端子１０２はＵＳＢ入力端子から成り、第２のデバイス装置２００と図示しないケーブルによって接続された図示しないＵＳＢ出力端子と接続され、当該ケーブル内に備えるデータ線及びグランド線と接続されている。
【００２０】
第１のデバイス装置１００及び第２のデバイス装置２００は、ＰＣ等のデバイス装置から成り、内部に図示しないデータ記録部及び制御部を備える。
【００２１】
操作部２は、デバイス選択キー２０１、フローティング切換えキー２０２及び図示しない再生指示キーを備える。デバイス選択キー２０１は、デバイス再生装置１によって再生するオーディオデータを第１のデバイス装置１００から入力したオーディオデータにするか第２のデバイス装置２００から入力したオーディオデータにするかの選択を受け付ける選択キーを備え、当該選択キーの選択に応じて選択指示信号を出力する。
【００２２】
制御部３は、操作部２から出力された各指示信号に応じてデバイス再生装置１の内部全体を制御する。制御部３は、デバイス選択キー２０１から出力された選択指示信号に応じて第１の選択スイッチ３０１及び第２の選択スイッチ３０３を制御する。
【００２３】
第１の選択スイッチ３０１は、制御部３の制御に応じて第１の入力端子１０１に接続された第１のデバイス装置１００からのデータ線を第１のデータ処理部１０に接続するか否かを切換える。第２の選択スイッチ３０３は、制御部３の制御に応じて第２の入力端子１０２に接続された第２のデバイス装置２００からのデータ線を第２のデータ処理部２０に接続するか否かを切換える。
【００２４】
第１のデータ処理部１０は、第１の入力端子１０１に接続されたグランド線と接続し、第１の選択スイッチ３０１によって第１の入力端子１０１に接続されたデータ線と接続されている場合、データ線によって第１の入力端子１０１を介して入力された第１のデバイス装置１００からのオーディオデータを処理し、処理したオーディオデータを再生部４に出力する。
【００２５】
第２のデータ処理部２０は、第２の入力端子１０２に接続されたグランド線と接続し、第２の選択スイッチ３０３によって第２の入力端子１０２に接続されたデータ線と接続されている場合、データ線によって第２の入力端子１０２を介して入力された第２のデバイス装置２００からのオーディオデータを処理し、処理したオーディオデータを再生部４に出力する。
【００２６】
再生部４は、第１のデータ処理部１０及び第２のデータ処理部２０が処理したオーディオデータを再生し、出力端子５に出力する。出力端子５は、再生部４から出力されたオーディオデータをアンプに出力する。
【００２７】
フローティング切換えキー２０２は、デバイス選択キー２０１によって再生を選択したデバイス装置の再生を行う場合に、再生を選択したデバイス装置と接続された入力端子とデータ処理部の間に接続されたグランドをデバイス再生装置１内のグランドと切り離したフローティング状態とするかデバイス再生装置１内のグランドと接地するかを切換える切換えキーを備え、当該切換えキーの切換えに応じて切換え指示信号を出力する。
【００２８】
制御部３は、フローティング切換えキー２０２から出力された切換え指示信号に応じて第１のグランド切換えスイッチ３０２及び第２のグランド切換えスイッチ３０４を制御する。
【００２９】
第１のグランド切換えスイッチ３０２は、制御部３の制御に応じて第１の入力端子１０１と第１のデータ処理部１０の間に接続されたグランド線をデバイス再生装置１内のグランドから切り離してフローティング状態とするかデバイス再生装置１内のグランドと接地状態とするかを切換える。第２のグランド切換えスイッチ３０４は、制御部３の制御に応じて第２の入力端子１０２と第２のデータ処理部２０の間に接続されたグランド線をデバイス再生装置１内のグランドから切り離してフローティング状態とするかデバイス再生装置１内のグランドと接地状態とするかを切換える。
【００３０】
制御部３は、デバイス選択キー２０１から出力された選択指示信号に基づいて、デバイス選択キー２０１によって選択されていないデバイス装置と接続された入力端子とデータ処理部の間に接続されたグランドをデバイス再生装置１内のグランドと切り離してフローティング状態とするよう第１のグランド切換えスイッチ３０２及び第２のグランド切換えスイッチ３０４を制御する。
【００３１】
図２は、本実施例のデバイス再生装置１において、操作部２のデバイス選択キー２０１によって第１のデバイス装置１００の再生が選択され、また、操作部２のフローティング切換えキー２０２によって再生を選択したデバイス装置と接続された入力端子とデータ処理部の間に接続されたグランドをデバイス再生装置１内のグランドと切り離してフローティング状態とするよう切換えた場合を示すブロック図である。
【００３２】
制御部３は、デバイス選択キー２０１によって第１のデバイス装置１００の再生が選択されると、第１の入力端子１０１と第１のデータ処理部１０の間のデータ線を第１の選択スイッチ３０１によって接続すると共に、第２の入力端子１０２と第２のデータ処理部２０の間のデータ線を第２の選択スイッチ３０３によって切り離すよう制御する。
【００３３】
制御部３は、フローティング切換えキー２０２によって再生を選択したデバイス装置と接続された入力端子とデータ処理部の間に接続されたグランド線をデバイス再生装置１内のグランドから切り離してフローティング状態とするよう切換えられると、第１の入力端子１０１と第１のデータ処理部１０の間に接続されたグランド線をデバイス再生装置１内のグランドから切り離してフローティング状態とするよう第１のグランド切換えスイッチ３０２を制御する。
【００３４】
また、制御部３は、デバイス選択キー２０１から出力された選択指示信号に基づいて、デバイス選択キー２０１によって再生が選択されていない第２のデバイス装置２００と接続された第２の入力端子１０２と第２のデータ処理部２０の間に接続されたグランド線をデバイス再生装置１内のグランドから切り離してフローティング状態とするよう第２のグランド切換えスイッチ３０４を制御する。
【００３５】
図２に示す状態で、デバイス再生装置１の操作部２の図示しない再生指示キーが操作されると、制御部３は、第１の入力端子１０１を介して第１のデバイス装置１００に備える制御部（図示なし）に対してオーディオデータの出力を指示するよう制御指示を行う。第１のデバイス装置１００の制御部は、デバイス再生装置１の制御部３からの制御指示に応じて、第１のデバイス装置１００内に備えるデータ記録部（図示なし）に記録されたオーディオデータをデバイス再生装置１に出力するよう制御する。第１のデータ処理部１０は、第１の入力端子１０１を介して第１のデバイス装置１００から出力されたオーディオデータの処理を行い、処理したオーディオデータを再生部４に出力する。
【００３６】
再生部４は、第１のデータ処理部１０から出力されたオーディオデータを再生し、出力端子５に出力する。出力端子５は、再生部４から出力されたオーディオデータをアンプに出力する。
【００３７】
図３は、本実施例のデバイス再生装置１において、操作部２のデバイス選択キー２０１によって第１のデバイス装置１００の再生が選択され、また、操作部２のフローティング切換えキー２０２によって再生を選択したデバイス装置と接続された入力端子とデータ処理部の間に接続されたグランドをデバイス再生装置１内のグランドと接地状態とするよう切換えた場合を示すブロック図である。
【００３８】
制御部３は、デバイス選択キー２０１によって第１のデバイス装置１００の再生が選択されると、第１の入力端子１０１と第１のデータ処理部１０の間のデータ線を第１の選択スイッチ３０１によって接続すると共に、第２の入力端子１０２と第２のデータ処理部２０の間のデータ線を第２の選択スイッチ３０３によって切り離すよう制御する。
【００３９】
制御部３は、フローティング切換えキー２０２によって再生を選択したデバイス装置と接続された入力端子とデータ処理部の間に接続されたグランド線をデバイス再生装置１内のグランドと接地状態とするよう切換えられると、第１の入力端子１０１と第１のデータ処理部１０の間に接続されたグランド線をデバイス再生装置１内のグランドと接地状態とするよう第１のグランド切換えスイッチ３０２を制御する。
【００４０】
また、制御部３は、デバイス選択キー２０１から出力された選択指示信号に基づいて、デバイス選択キー２０１によって再生が選択されていない第２のデバイス装置２００と接続された第２の入力端子１０２と第２のデータ処理部２０の間に接続されたグランド線をデバイス再生装置１内のグランドから切り離してフローティング状態とするよう第２のグランド切換えスイッチ３０４を制御する。
【００４１】
図３に示す状態で、デバイス再生装置１の操作部２の図示しない再生指示キーが操作されると、制御部３は、第１の入力端子１０１を介して第１のデバイス装置１００に備える制御部（図示なし）に対してオーディオデータの出力を指示するよう制御指示を行う。第１のデバイス装置１００の制御部は、デバイス再生装置１の制御部３からの制御指示に応じて、第１のデバイス装置１００内に備えるデータ記録部（図示なし）に記録されたオーディオデータをデバイス再生装置１に出力するよう制御する。第１のデータ処理部１０は、第１の入力端子１０１を介して第１のデバイス装置１００から出力されたオーディオデータの処理を行い、処理したオーディオデータを再生部４に出力する。
【００４２】
再生部４は、第１のデータ処理部１０から出力されたオーディオデータを再生し、出力端子５に出力する。出力端子５は、再生部４から出力されたオーディオデータをアンプに出力する。
【００４３】
図４は、本実施例のデバイス再生装置１において、操作部２のデバイス選択キー２０１によって第２のデバイス装置２００の再生が選択され、また、操作部２のフローティング切換えキー２０２によって再生を選択したデバイス装置と接続された入力端子とデータ処理部の間に接続されたグランドをデバイス再生装置１内のグランドと切り離してフローティング状態とするよう切換えた場合を示すブロック図である。
【００４４】
制御部３は、デバイス選択キー２０１によって第２のデバイス装置２００の再生が選択されると、第２の入力端子１０２と第２のデータ処理部２０の間のデータ線を第２の選択スイッチ３０３によって接続すると共に、第１の入力端子１０１と第１のデバイス装置１００の間のデータ線を第１の選択スイッチ３０１によって切り離すよう制御する。
【００４５】
制御部３は、フローティング切換えキー２０２によって再生を選択したデバイス装置と接続された入力端子とデータ処理部の間に接続されたグランド線をデバイス再生装置１内のグランドから切り離してフローティング状態とするよう切換えられると、第２の入力端子１０２と第２のデータ処理部２０の間に接続されたグランド線をデバイス再生装置１内のグランドから切り離してフローティング状態とするよう第２のグランド切換えスイッチ３０４を制御する。
【００４６】
また、制御部３は、デバイス選択キー２０１から出力された選択指示信号に基づいて、デバイス選択キー２０１によって再生が選択されていない第１のデバイス装置１００と接続された第１の入力端子１０１と第１のデータ処理部１０の間に接続されたグランド線をデバイス再生装置１内のグランドから切り離してフローティング状態とするよう第１のグランド切換えスイッチ３０２を制御する。
【００４７】
図４に示す状態で、デバイス再生装置１の操作部２の図示しない再生指示キーが操作されると、制御部３は、第２の入力端子１０２を介して第２のデバイス装置２００に備える制御部（図示なし）に対してオーディオデータの出力を指示するよう制御指示を行う。第２のデバイス装置２００の制御部は、デバイス再生装置１の制御部３からの制御指示に応じて、第２のデバイス装置２００内に備えるデータ記録部（図示なし）に記録されたオーディオデータをデバイス再生装置１に出力するよう制御する。第２のデータ処理部２０は、第２の入力端子１０２を介して第２のデバイス装置２００から出力されたオーディオデータの処理を行い、処理したオーディオデータを再生部４に出力する。
【００４８】
再生部４は、第２のデータ処理部２０から出力されたオーディオデータを再生し、出力端子５に出力する。出力端子５は、再生部４から出力されたオーディオデータをアンプに出力する。
【００４９】
図５は、本実施例のデバイス再生装置１において、操作部２のデバイス選択キー２０１によって第２のデバイス装置２００の再生が選択され、また、操作部２のフローティング切換えキー２０２によって再生を選択したデバイス装置と接続された入力端子とデータ処理部の間に接続されたグランドをデバイス再生装置１内のグランドと接地状態とするよう切換えた場合を示すブロック図である。
【００５０】
制御部３は、デバイス選択キー２０１によって第２のデバイス装置２００の再生が選択されると、第２の入力端子１０２と第２のデータ処理部２０の間のデータ線を第２の選択スイッチ３０３によって接続すると共に、第１の入力端子１０１と第１のデータ処理部１０の間のデータ線を第１の選択スイッチ３０１によって切り離すよう制御する。
【００５１】
制御部３は、フローティング切換えキー２０２によって再生を選択したデバイス装置と接続された入力端子とデータ処理部の間に接続されたグランド線をデバイス再生装置１内のグランドと接地状態とするよう切換えられると、第２の入力端子１０２と第２のデータ処理部２０の間に接続されたグランド線をデバイス再生装置１内のグランドと接地状態とするよう第２のグランド切換えスイッチ３０４を制御する。
【００５２】
また、制御部３は、デバイス選択キー２０１から出力された選択指示信号に基づいて、デバイス選択キー２０１によって再生が選択されていない第１のデバイス装置１００と接続された第１の入力端子１０１と第１のデータ処理部１０の間に接続されたグランド線をデバイス再生装置１内のグランドから切り離してフローティング状態とするよう第１のグランド切換えスイッチ３０２を制御する。
【００５３】
図５に示す状態で、デバイス再生装置１の操作部２の図示しない再生指示キーが操作されると、制御部３は、第２の入力端子１０２を介して第２のデバイス装置２００に備える制御部（図示なし）に対してオーディオデータの出力を指示するよう制御指示を行う。第２のデバイス装置２００の制御部は、デバイス再生装置１の制御部３からの制御指示に応じて、第２のデバイス装置２００内に備えるデータ記録部（図示なし）に記録されたオーディオデータをデバイス再生装置１に出力するよう制御する。第２のデータ処理部２０は、第２の入力端子１０２を介して第２のデバイス装置２００から出力されたオーディオデータの処理を行い、処理したオーディオデータを再生部４に出力する。
【００５４】
再生部４は、第２のデータ処理部２０から出力されたオーディオデータを再生し、出力端子５に出力する。出力端子５は、再生部４から出力されたオーディオデータをアンプに出力する。
【００５５】
以上により、本実施例のデバイス再生装置１は、第１の入力端子１０１に第１のデバイス装置１００が接続され、また、第２の入力端子１０２に第２のデバイス装置２００が接続されている場合、当該接続した第１のデバイス装置１００及び第２のデバイス装置２００の中から再生を選択したデバイス装置と接続された入力端子とデータ処理部の間に接続されたグランド線をデバイス再生装置１内のグランドから切り離してフローティング状態にするか、または、デバイス再生装置内のグランドに接地するかをユーザが任意に選択することができる。
【００５６】
また、本実施例のデバイス再生装置１は、当該接続した第１のデバイス装置１００及び第２のデバイス装置２００の中から再生を選択していないデバイス装置と接続された入力端子とデータ処理部の間に接続されたグランド線をデバイス再生装置１内のグランドから切り離してフローティング状態とすることにより、再生を選択していないデバイス装置からノイズが入力端子に混入した場合でも、再生を選択していないデバイス装置と接続された入力端子とデータ処理部の間のグランド線をデバイス再生装置１内のグランドから切り離してフローティング状態としているため、再生を選択していないデバイス装置から入力端子に混入されたノイズがデバイス再生装置１内のグランドに混入してしまい、再生しているオーディオデータの音質を悪化させてしまったり、また、デバイス再生装置１内の回路が誤動作してしまうことを防止することができる。
【００５７】
本実施例のデバイス再生装置１は、複数のデバイス装置の中で再生するデバイス装置の選択を入力端子とデータ処理部との間に備えた選択スイッチによって行う構成としたが、複数のデバイス装置の中で再生するデバイス装置を選択できるのであれば、選択スイッチを入力端子とデータ処理部の間に備える構成でなくても、どのような構成であっても良い。また、本実施例のデバイス再生装置１は、デバイス装置と接続された入力端子とデータ処理部の間に接続されたグランド線をグランド切換えスイッチによってデバイス再生装置１内のグランドから切り離してフローティング状態にするか、または、デバイス再生装置内のグランドに接地するかを切換える構成としたが、入力端子及びデータ処理部をフローティング状態にすることができるのであれば、グランド切換えスイッチを備える構成でなくても、どのような構成であっても良い。
【００５８】
本実施例のデバイス再生装置１は、第１の入力端子１０１及び第２の入力端子１０２の２つの入力端子を備え、第１の入力端子１０１及び第２の入力端子１０２にそれぞれ接続された第１のデバイス装置１００及び第２のデバイス装置２００の２つのデバイス装置の中から再生するデバイス装置を選択する構成としたが、１つまたは３つ以上の入力端子を備え、当該入力端子に接続された１つまたは３つ以上のデバイス装置から出力されたオーディオデータを再生する構成としても良い。
【００５９】
本実施例のデバイス再生装置１は、ＵＳＢ入力端子から成る第１の入力端子１０１及び第２の入力端子１０２を備える構成としたが、ＵＳＢ入力端子の他に、同軸ケーブルと接続可能な同軸デジタル端子や、その他のネットワークケーブルを接続可能な端子を備える構成としても良い。
【００６０】
本実施例のデバイス再生装置１は、デバイス装置からオーディオデータを入力する構成としたが、オーディオデータ以外にも映像データ、プログラムデータ等、どのようなデータを入力する構成としても良い。
【産業上の利用可能性】
【００６１】
本発明は、接続されたデバイス装置に記録されているデータを再生するデバイス再生装置に有用に用いることができる。
【符号の説明】
【００６２】
１  デバイス再生装置、２  操作部、
２０１  デバイス選択キー、２０２  フローティングＯＮ／ＯＦＦキー、
３  制御部、４  再生部、５  出力端子、
１０  第１のデータ処理部、２０  第２のデータ処理部、
１０１  第１の入力端子、１０２  第２の入力端子、
３０１  第１の選択スイッチ、３０２  第１のグランド切換えスイッチ、
３０３  第２の選択スイッチ、３０４  第２のグランド切換えスイッチ、
１００  第１のデバイス装置、２００  第２のデバイス装置
【図１】
2014182849.tif 000003
【図２】
2014182849.tif 000004
【図３】
2014182849.tif 000005
【図４】
2014182849.tif 000006
【図５】
2014182849.tif 000007